(57)【要約】      （修正有）【課題】回転軸を突出させる筒状ブッシュの位置に差があっても同じカバーをそのまま装着できる回転切削工具のカバー取付構造を提供する。【解決手段】工具本体１の回転駆動部２により回転駆動される回転刄３の外周をカバー５で覆うに当たり、駆動軸４が回転自在に保持する筒状ブッシュ６に装着されるブラケット７にばね８を介してそのカバー４を前後移動可能に装着するようにしたものであって、ブラケット７の挿通孔９の開口縁に半円筒状の保持部１０を突設すると共に、この保持部１０にその保持部１０と同様に半円筒状の補助保持具１２を、その保持部１０の高さを延長する方向に着脱自在に設定し、筒状ブッシュ６を保持部１０と補助保持具１２のいずれかに選択的にバンド１１で挟着するようにしたことにより、筒状凸部が握り部端面の延長面より突出していても、凹んでいても補助保持具１２の着脱選択により、同じカバーをそのまま装着することができる。【選択図】図１
0003131416.tif 000002
【実用新案登録請求の範囲】
【請求項１】
工具本体１の回転駆動部２により回転駆動される回転刄３の外周をカバー５で覆うに当たり、駆動軸４が回転自在に保持する筒状ブッシュ６に装着されるブラケット７にばね８を介してそのカバー４を前後移動可能に装着するようにしたものであって、ブラケット７の挿通孔９の開口縁に半円筒状の保持部１０を突設すると共に、この保持部１０にその保持部１０と同様に半円筒状の補助保持具１２を、その保持部１０の高さを延長する方向に着脱自在に設定し、筒状ブッシュ６を保持部１０と補助保持具１２のいずれかに選択的にバンド１１で挟着するようにしたことを特徴とする回転切削工具のカバー取付構造。
【考案の詳細な説明】
【技術分野】
【０００１】
本考案は回転刃の区同軸を回動自在に保持する筒状ブッシュのストロークが変わっても、カバーはそのまま変更することなくいずれにも対応して装着することができる回転切削工具のカバー取付構造に関するものである。
【背景技術】
【０００２】
従来より、手持ち型のグラインダやサンダ等の回転切削工具は、円盤状の回転刃（研磨材）と、その回転刃を被覆するためのカバーとを有しており、例えば労働安全衛生法第１１７条において、上記カバーを作業中に使用することが義務付けられていて、このカバーにより使用時における安全性の向上を図っている。
【０００３】
ところがこのカバーは研削作業時には邪魔になるので、一般にこの種のサンダ、グラインダ等の回転切削工具では作業性の点から、バネによりカバーが後退可能に構成されている。そしてこれらは回転軸周りを覆う筒状ブッシュに装着されたブラケットにカバーが装着されている。
【０００４】
しかしながら回転切削工具は幾つかのメーカーで製造されているが、筒状ブッシュの高さに統一された規格がなく、各社に任されており、現状では高いものと低いものの２タイプがある。そして一方に合わせると他方が装着できない欠点があって、現状では高低の２種のタイプのカバーを製造する必要があった。
【特許文献１】実開平６−３６７６４号公報
【考案の開示】
【考案が解決しようとする課題】
【０００５】
本考案は、駆動軸が突出する筒状ブッシュに高低があってもいずれの機種にも対応してカバーを装着できる回転切削工具のカバー取付構造を提供するものである。
【課題を解決するための手段】
【０００６】
本考案の主たる特徴は、工具本体１の回転駆動部２により回転駆動される回転刄３の外周をカバー５で覆うに当たり、駆動軸４が回転自在に保持する筒状ブッシュ６に装着されるブラケット７にばね８を介してそのカバー４を前後移動可能に装着するようにしたものであって、ブラケット７の挿通孔９の開口縁に半円筒状の保持部１０を突設すると共に、この保持部１０にその保持部１０と同様に半円筒状の補助保持具１２を、その保持部１０の高さを延長する方向に着脱自在に設定し、筒状ブッシュ６を保持部１０と補助保持具１２のいずれかに選択的にバンド１１で挟着するようにしたことである。
【考案の効果】
【０００７】
本考案にあっては上述のように、工具本体１の回転駆動部２により回転駆動される回転刄３の外周をカバー５で覆うに当たり、駆動軸４が回転自在に保持する筒状ブッシュ６に装着されるブラケット７にばね８を介してそのカバー４を前後移動可能に装着するようにしたものであって、ブラケット７の挿通孔９の開口縁に半円筒状の保持部１０を突設すると共に、この保持部１０にその保持部１０と同様に半円筒状の補助保持具１２を、その保持部１０の高さを延長する方向に着脱自在に設定し、筒状ブッシュ６を保持部１０と補助保持具１２のいずれかに選択的にバンド１１で挟着するようにしたから、筒状ブッシュ６が工具本体１の握り部の先端の延長面よりも十分に下方に突出している場合は、補助保持具１２を用いず、保持部１０に筒状ブッシュ６の一方より押し当て、バンド１１で締付け固定することによりカバー３を装着することができる。
【０００８】
逆に筒状ブッシュ６が握り部の延長面よりもあまり突出していない機種では、保持部１０にそれよりも上下寸法が十分な補助保持具１２を装着し、その補助保持具１２を筒状ブッシュ６の一方より押し当て、バンド１１を締付けて固定することによりブラケット７を工具本体１に装着し、しかる後にカバー５をその筒状ブッシュ６を装着することができるものである。したがって、筒状ブッシュに高低があっても、補助保持具を追加するだけで、カバー自体はそのまま同一のものをそのまま使うことができる。尚、上記は補助保持具は１個を追加する場合を記載したが、２個以上用いれば筒状ブッシュに更に大きな高低差があっても対応することもできる。
【考案を実施するための最良の形態】
【０００９】
以下本考案を添付図面に基づき詳細に説明する。 図１に示すように、本考案は、工具本体１のモータのような回転駆動部２により周知の直結又は伝動により回転駆動される回転刄３の外周の筒状ブッシュ６にブッシュ７を装着し、カバー５はその筒状ブッシュ６に執着される。そしてこのカバー５は回転刃３の駆動軸４と同軸のバネ８にて外方に弾発されている。このバネ８はコイルバネ、渦巻きバネのいずれでも良い。
【００１０】
回転刃３は、グラインダやサンダのようなディスク状のもの、円鋸等であり、その外周がカバー５で覆われるものであるが、一部は欠如され、その欠如部分から回転刃３の一部が外部に突出し、研削に供される。勿論このカバー５は、使用時のみ欠如部分が生ずるように図外開閉扉で覆っても良い。
【００１１】
ブラケット７は、中央に挿通口９が開口していて、その挿通口９の縁半分ほどに半円筒状の保持部１０が突設されていて、挿通口９より上から垂下する筒状ブッシュ６を保持部１０に押し当て、それを半弧状のバンド１１で固定する。ここで１９は保持部１０の取付片、２０はバンド１１の取付片で、それぞれの取付孔２１、２２を用い、ネジ２３とナット２４で締結される。
【００１２】
カバー５には適所に立設されたボルト１４に被せられたガイドピン１３がブラケット７にスライド自在に連結され、バネ８がカバー５上面とブラケット７下面との間に挟持されて、カバー５はバネ８に抗して上方に逃げることができるようになっている。１５はボルトに１４に螺着されるナットである。１６はストッパリング、工具本体の１７はグリップである。１８はガイドピン１３のスライド自在に挿通されるガイド孔である。また、必要に応じてカバー３の中心部からダクトを介してダストを吸引除去できるようにしておくこともできる。
【００１３】
１２は補助保持具で、保持部１０と略同形状に形成されているが、保持部１０の取付片１９に対応する補助取付片２９の下方に素材１枚程度外方で下向きに連結片２８が施され、連結片２８と取付片１９をボルト２６、ナット２７で接合することにより、保持部１０の上方に補助保持具１２を重ねて嵩上げすることができる。３０、３１は連結片２８と取付片２９の取付孔である。このように補助保持片１２を接合した場合は、保持片２０の取付片１９よりも高い位置の補助保持具１２の取付片２９にバンド１１の取付片２２をネジ２３、ナット２４で締結することにより、ブラケット７を筒状ブッシュ６に装着することができる。
【００１４】
即ち、ブラケット７が取付けられる筒状ブッシュ６は工具本体１の機種により高さが一定せず、工具本体１のグリップ部１７の先端最下部部に対する筒状ブッシュ６の位置関係で装着できる位置が変わってくる。主な機種では高低２種販売されている。従って、保持部２１を定位置に設定する場合は、使用機種に応じて２種の高さ（垂下寸法）の保持部を有するブラケットを用意する必要がある。
【００１５】
本考案では２種のブラケットとすることを避け、補助保持具１２を用いることにより、１種のブラケット７で２種の高さの筒状ブッシュに対応させるものである。また補助保持具１２は図３のように、取付片２８、２８間が半筒状部３５で連結されていても良い。尚、切欠３２に補助保持具１２の爪３３が係合されるようにしておくと、補助保持具１２の保持部１０への積み重ねが簡単かつ強固に行える。
【００１６】
（使用方法）
本考案は、工具本体１のグリップ部１７先端の下面の延長面よりの筒状ブッシュ６の突出寸法に応じて、その突出寸法が基本的な機種では図４のように補助保持具１２は使わず、保持部１０にバンド１１を締結することにより、筒状ブッシュ６にブラケット７を取り付けて、そのブラケット７をベースにしてカバー５を装着できる。
【００１７】
また、工具本体１のグリップ部１７先端の下面の延長面よりの筒状ブッシュ６の突出寸法に応じて、その突出寸法が基本的なものより奥まっている機種では、図５のように補助保持具１２を保持部１０の先端に装着して嵩上げし、基本的な本来の保持部よりも奥まった位置の筒状ブッシュ６に補助保持具１２を押し当て、バンド１１で締結してブラケット７を取り付け、カバー５を装着できる。
【産業上の利用可能性】
【００１８】
本考案にあっては、カバーを切削機に装着するに当たり、回転軸を保持する筒状ブッシュのグリップ部よりの突出寸法が違っていても、補助保持具の着脱により対応できるものであって、筒状ブッシュの突出寸法に差があっても、２種のブラケット、カバーを用意する必要がなく、１種のブラケット、カバーで対応できるため、メーカーが種々異なる切削機にカバーを無理なくコストも増大させることなく装着できて安全上の対策を講じることができる。
【図面の簡単な説明】
【００１９】
【図１】本考案の一実施例の概略分解斜視図。
【図２】同上の実施例の概略分解指図。
【図３】同上の補助保持具の他の実施例の斜視図。
【図４】同上の基本的な使用状態の取り付け状態説明図。
【図５】同上の補助保持具を用いた使用状態の取り付け状態説明図。
【符号の説明】
【００２０】
１  工具本体
２  駆動部。
３  回転刃
４  回転軸
５  カバー
６  筒状ブッシュ
７  ブラケット
８  バネ
９  挿通孔
１０  保持部
１１  バンド
１２  補助保持具
【図１】
0003131416.tif 000003
【図２】
0003131416.tif 000004
【図３】
0003131416.tif 000005
【図４】
0003131416.tif 000006
【図５】
0003131416.tif 000007